(57)【要約】 【課題】  光電センサの取付構造、取付具及び光軸調整方法であって、比較的簡単な構成で、直交２方向の光軸調整を実現することと、調整後の光軸方向を保持した状態で固定することにある。【解決手段】  本体ケース１１は、全体としてコの字状をなす第１及び第２の可動部１２，２０を、互いの両直線部１３，２１の並び方向が直交するように連結されてなる取付具１０を介して所定の取付箇所Ｗに取り付けられる。そして、両直線部１３，２１のなす角度を変えるように第１可動部１２及び第２可動部２０をそれぞれ弾性変更することで、光電センサの光軸方向を上下左右の直交２方向に変更することができる。【選択図】      図１
2005302692.tif 000002
【特許請求の範囲】
【請求項１】
投光部及び受光部のうち少なくともいずれか一方を備えた本体ケースが、その光軸方向を調整可能に所定の取付箇所に対して取り付けられる光電センサの取付構造であって、
全体としてＵ字状またはコの字状をなし、その両直線部同士のなす角度が変わるように弾性変形可能とされるとともに、当該両直線部のうち一方の直線部が前記本体ケースに固定される第１可動部と、
前記第１可動部の両直線部のなす角度を変更後の角度に維持する第１維持手段と、
全体としてＵ字状またはコの字状をなし、その両直線部同士のなす角度が変わるように弾性変形可能とされるとともに、当該両直線部の並び方向と、前記第１可動部の両直線部の並び方向とが直角をなし、かつ一方の直線部が前記第１可動部の他方の直線部と平行をなして連結された第２可動部と、
前記第２可動部の両直線部のなす角度を変更後の角度に維持する第２維持手段とを有し、
前記第２可動部の他方の直線部が前記所定の取付箇所に取付可能とされていることを特徴とする光電センサの取付構造。
【請求項２】
前記第１可動部の前記両直線部同士を結合する結合部及び前記第２可動部の前記両直線部同士を結合する結合部のいずれか一方の可動部の結合部が、他方の可動部のうち前記一方の可動部の前記直線部に連結された直線部と当該直線部に対して直交する方向に連結されていることを特徴とする請求項１に記載の光電センサの取付構造。
【請求項３】
前記第１及び第２の可動部はそれぞれ、前記両直線部のうちいずれか一方の直線部に、ネジの頭部以外を挿通可能な第１貫通孔が形成され、他方の直線部に、前記第１貫通孔に対応する位置に前記ネジと螺合するネジ穴が形成され、前記ネジと前記ネジ穴との螺合量に応じて前記両直線部同士のなす角度を変えるように前記可動部を弾性変形させつつその変更後の角度を維持するように構成されていることを特徴とする請求項１または請求項２に記載の光電センサの取付構造。
【請求項４】
前記第１可動部のうち前記本体ケースが固定される一方の直線部にはネジの頭部以外を挿通可能な第１貫通孔が形成され、他方の直線部における前記第１貫通孔に対応する位置には前記ネジと螺合するネジ穴を有するネジ受け部が形成され、
螺合前の状態においては開脚状態にある前記両直線部を前記ネジと前記ネジ穴とを螺合させることで閉じ方向に弾性変更させつつ変更後の両直線部のなす角度を同ネジによって維持するように構成されるとともに、
前記ネジ受け部は前記本体ケースが固定された一方の直線部に対する対向間隔が、前記第１可動部の両直線部間を連結する結合部の幅寸法より狭くなるように前記他方の直線部側から前記一方の直線部側に向けて張り出して形成され、かつ、前記ネジにおけるネジ部の長さが少なくとも前記第１可動部における結合部の幅寸法以下に設定されることで、前記ネジによって開脚状態にある前記第１可動部の両直線部をもっとも閉じ方向に締め込んだ状態において、前記ネジ穴より突出されるネジ部の先端が同突出方向に関して同ネジ受け部と前記本体ケースが固定されていない他方側の直線部との間に収まるよう構成され、
前記第２可動部の両直線部のうち前記取付箇所に取り付け可能とされる前記他方側の直線部には板面が前記第１可動部の他方の直線部に沿った側面取付部が設けられ、この側面取付部を介して同第２可動部を前記取付箇所に対して取付面が直交する他の取付箇所に対しても装着可能とされていることを特徴をする請求項１に記載の光電センサの取付構造。
【請求項５】
前記本体ケースは、前記第１可動部の前記一方の直線部のうち前記他方の直線部との対向面側に固定されるよう構成され、
前記第１可動部は、前記本体ケースを全体に亘って覆う大きさに形成されていることを特徴とする請求項１ないし請求項４のいずれかに記載の光電センサの取付構造。
【請求項６】
前記取付箇所の取付面に対して、前記第２可動部の前記両直線部の並び方向が直角をなすように前記取付箇所に取り付けられる構成であって、前記第２可動部の前記他方の直線部には、前記取付箇所に螺着されるネジが挿通される挿通孔が貫通形成され、前記ネジを前記挿通孔を通して前記取付箇所に螺着することで前記第２可動部が前記取付箇所に取り付けられるようになっていることを特徴とする請求項１ないし請求項５のいずれかに記載の光電センサの取付構造。
【請求項７】
前記第２可動部の前記一方の直線部には、前記他方の直線部の前記挿通孔に対応する位置に、前記ネジの締め付け及び取り外しを行うための工具を挿入可能な開口部が貫通形成されていることを特徴とする請求項６に記載の光電センサの取付構造。
【請求項８】
前記第２可動部のうち前記取付箇所に固定可能とされた他方の直線部が前記第１可動部の結合部の一部を前記本体ケースが保持される側にほぼ直角に折り曲げることで形成されるとともに、前記第２可動部を構成する一方の直線部が、第１可動部における前記本体ケースが固定されない他方側の直線部の一部を前記第２可動部の他方側の直線部と対面するように折り曲げて形成されるとともに、
直角に折り曲げられた前記他方の直線部は板状に形成され、さらに、この板状をなす他方の直線部の側部のうち第１可動部の他方の直線部と対応する側の側部に前記側面取付部が設けられていることを特徴とする請求項４ないし請求項６のいずれかに記載の光電センサの取付構造。
【請求項９】
前記第１及び第２の可動部は１枚の板金から構成されていることを特徴とする請求項１ないし請求項８のいずれかに記載の光電センサの取付構造。
【請求項１０】
投光部及び受光部のうち少なくともいずれか一方を備えた本体ケースを、その光軸方向を調整可能に所定の取付箇所に対して取り付けるための光電センサの取付具であって、
全体としてＵ字状またはコの字状をなし、その両直線部同士のなす角度が変わるように弾性変形可能な第１可動部と、
前記第１可動部の両直線部のなす角度を変更後の角度に維持する第１維持手段と、
全体としてＵ字状またはコの字状をなし、その両直線部同士のなす角度が変わるように弾性変形可能な第２可動部と、
前記第２可動部の両直線部のなす角度を変更後の角度に維持する第２維持手段とを有し、
前記第１可動部及び第２可動部は、それぞれの前記両直線部の並び方向が互いに直角をなし、かつ、それぞれの一方の直線部が平行をなすように当該一方の直線部同士が連結され、
前記第１可動部の前記両直線部のうち連結されない他方の直線部には、前記本体ケースを固定する固定手段が設けられ、
前記第２可動部の前記両直線部のうち連結されない他方の直線部には、前記所定の取付箇所に取り付けるための取付手段が設けられていることを特徴とする光電センサの取付具。
【請求項１１】
前記第１可動部の前記両直線部同士を結合する結合部及び前記第２可動部の前記両直線部同士を結合する結合部のいずれか一方の可動部の結合部が、他方の可動部のうち前記一方の可動部の前記直線部に連結された直線部と当該直線部に対して直交する方向に連結されていることを特徴とする請求項１０に記載の光電センサの取付具。
【請求項１２】
前記第１及び第２の可動部はそれぞれ、前記両直線部のうちいずれか一方の直線部に、ネジの頭部以外を挿通可能な第１貫通孔が形成され、他方の直線部に、前記第１貫通孔に対応する位置に前記ネジと螺合するネジ穴が形成され、前記ネジと前記ネジ穴との螺合量に応じて前記両直線部同士のなす角度を変えるように前記可動部を弾性変形させつつその変更後の角度を維持するように構成されていることを特徴とする請求項１０または請求項１１に記載の光電センサの取付具。
【請求項１３】
前記第１可動部のうち前記本体ケースが固定される一方の直線部にはネジの頭部以外を挿通可能な第１貫通孔が形成され、他方の直線部における前記第１貫通孔に対応する位置には前記ネジと螺合するネジ穴を有するネジ受け部が形成され、
螺合前の状態においては開脚状態にある前記両直線部を前記ネジと前記ネジ穴とを螺合させることで閉じ方向に弾性変更させつつ変更後の両直線部のなす角度を同ネジによって維持するように構成されるとともに、
前記ネジ受け部は前記本体ケースが固定された一方の直線部に対する対向間隔が、前記第１可動部の両直線部間を連結する結合部の幅寸法より狭くなるように前記他方の直線部側から前記一方の直線部側に向けて張り出して形成され、かつ、前記ネジにおけるネジ部の長さが少なくとも前記第１可動部における結合部の幅寸法以下に設定されることで、前記ネジによって開脚状態にある前記第１可動部の両直線部をもっとも閉じ方向に締め込んだ状態において、前記ネジ穴より突出されるネジ部の先端が同突出方向に関して同ネジ受け部と前記本体ケースが固定されていない他方側の直線部との間に収まるよう構成され、
前記第２可動部の両直線部のうち前記取付箇所に取り付け可能とされる前記他方側の直線部には板面が前記第１可動部の他方の直線部に沿った側面取付部が設けられ、この側面取付部を介して同第２の可動部を前記取付箇所に対して取付面が直交する他の取付箇所に対しても装着可能とされていることを特徴とする請求項１０に記載の光電センサの取付具。
【請求項１４】
前記本体ケースは、前記第１可動部の前記一方の直線部のうち前記他方の直線部との対向面側に固定されるよう構成され、
前記第１可動部は、前記本体ケースを全体に亘って覆う大きさに形成されていることを特徴とする請求項１０ないし請求項１３のいずれかに記載の光電センサの取付具。
【請求項１５】
前記取付箇所の取付面に対して、前記第２可動部の前記両直線部の並び方向が直角をなすように前記取付箇所に取り付けられる構成であって、前記取付手段は、前記第２可動部の前記他方の直線部に、前記取付箇所に螺着されるネジが挿通される挿通孔を貫通形成し、前記ネジを前記挿通孔を通して前記取付箇所に螺着することで前記第２可動部が前記取付箇所に取り付けられる構成になっていることを特徴とする請求項１０ないし請求項１４のいずれかに記載の光電センサの取付具。
【請求項１６】
前記第２可動部の前記一方の直線部には、前記他方の直線部の前記挿通孔に対応する位置に、前記ネジの締め付け及び取り外しを行うための工具を挿入可能な開口部が貫通形成されていることを特徴とする請求項１５に記載の光電センサの取付具。
【請求項１７】
前記第２可動部のうち前記取付箇所に固定可能とされた他方の直線部が前記第１可動部の結合部の一部を前記本体ケースが保持される側にほぼ直角に折り曲げることで形成されるとともに、前記第２可動部を構成する一方の直線部が、第１可動部における前記本体ケースが固定されない他方側の直線部の一部を前記第２可動部の他方側の直線部と対面するように折り曲げて形成されるとともに、
直角に折り曲げられた前記他方の直線部は板状に形成され、さらに、この板状をなす他方の直線部の側部のうち第１可動部の他方の直線部と対応する側の側部に前記側面取付部が設けられていることを特徴とする請求項１３ないし請求項１５のいずれかに記載の光電センサの取付具。
【請求項１８】
前記第１及び第２の可動部は１枚の板金から構成されていることを特徴とする請求項１０ないし請求項１７のいずれかに記載の光電センサの取付具。
【請求項１９】
投光部及び受光部のうち少なくともいずれか一方を備えた本体ケースが、所定の取付箇所に対して取り付けられる光電センサの光軸調整方法であって、
前記本体ケースを、前記請求項１０ないし請求項１８のいずれかに記載の取付具を介して前記所定の取付箇所に取り付けて、
前記第１可動部を弾性変形させて前記本体ケースが固定された直線部を傾動させ、前記第２可動部を弾性変形させて前記第１可動部が連結された直線部を傾動させることで前記光電センサの光軸方向を直交２方向で変更し、
その変更後の状態を前記第１及び第２維持手段で維持するようにして前記光軸方向を調整することを特徴とする光電センサの光軸調整方法。
【発明の詳細な説明】
【技術分野】
【０００１】
本発明は、光電センサの取付構造、取付具及び光軸調整方法に関する。
【背景技術】
【０００２】
例えば、投光部及び受光部を備えた光電センサでは、その本体ケースを所定の取付箇所に取り付けた後に、光軸調整をしたい場合がある。そこで、下記特許文献１，２には、取付箇所に対して本体ケースを回動可能に取り付けるための取付具が開示されている。
【０００３】
図２３には、下記特許文献１の構成が図示されている。この取付具は、支持具１と、取付台２と、２本のボルト３Ａ，３Ｂと、２つのバネ４Ａ，４Ｂとを備えて構成されている。ボルト３Ａ，３Ｂをそれぞれ、互いに直交するように支持具１と取付台２とに設けた複数個の穴及びネジ穴にバネ４Ａ，４Ｂを介して取り付け、バネ４Ａ，４Ｂがそれぞれ支持具１と取付台２とによって圧縮され、支持具１と取付具２とがボルト３Ａ，３Ｂを支点として回転するようになっている。
【０００４】
次に、図２４には、下記特許文献２の構成が図示されている。この取付具は、取付箇所に敷設される第１取付板５と、この第１取付板５上に直立状に設けられた第２取付板６とからなる。第１取付板５には、取付箇所に螺着されるネジが挿通可能な１対の挿通孔７Ａ，７Ｂが貫通形成されており、このうち一方の挿通孔７Ａは丸穴になっており、他方の挿通孔７Ｂは、上記一方の挿通孔７Ａを中心とした円弧状の長穴になっている。一方、第２取付板６には、光電センサの本体ケース８側面に螺着されるネジを挿通可能な１対の挿通孔９Ａ，９Ｂが貫通形成されており、このうち一方の挿通孔９Ａは丸穴になっており、他方の挿通孔９Ｂは、上記一方の挿通孔９Ａを中心とした円弧状の長穴になっている。従って、各ネジを緩めた状態で、本体ケース８は、第２取付板６に対して一方の挿通孔９Ａを中心に傾動可能となり、取付具自体は、第１取付板５の一方の挿通孔７Ａを中心にやはり傾動可能となり、これにより、光電センサの光軸方向を直交２方向において調整できるようになっている。
【特許文献１】実開昭５０−１１２０９８号公報
【特許文献２】特開平３−１３６４０号公報
【発明の開示】
【発明が解決しようとする課題】
【０００５】
ところが、上記特許文献１の構成では、支持具１、取付台２、ボルト３Ａ，３Ｂとともに、支持具１と取付台２との回転機構やバネ４Ａ，４Ｂなどが必要であり、構造が複雑で部品点数が多いという問題があった。
【０００６】
一方、上記特許文献２の構成は、光軸調整後、その位置で本体ケース８を固定するためにネジを締める必要があるが、各ネジの回転中心と、本体ケース８の傾動中心とが平行をなすため、ネジ締めの回転操作に伴って本体ケース８まで回転してしまい、光軸方向が調整された位置からずれてしまうという問題があった。
【０００７】
本発明は上記のような事情に基づいて完成された光電センサの取付構造、取付具及び光軸調整方法であって、その第１の目的は、比較的簡単な構成で、直交２方向の光軸調整を実現することにあり、第２の目的は、調整後の光軸方向を保持した状態で固定することにある。
【課題を解決するための手段】
【０００８】
上記の目的を達成するための手段として、請求項１の発明は、投光部及び受光部のうち少なくともいずれか一方を備えた本体ケースが、その光軸方向を調整可能に所定の取付箇所に対して取り付けられる光電センサの取付構造であって、全体としてＵ字状またはコの字状をなし、その両直線部同士のなす角度が変わるように弾性変形可能とされるとともに、当該両直線部のうち一方の直線部が前記本体ケースに固定される第１可動部と、前記第１可動部の両直線部のなす角度を変更後の角度に維持する第１維持手段と、全体としてＵ字状またはコの字状をなし、その両直線部同士のなす角度が変わるように弾性変形可能とされるとともに、当該両直線部の並び方向と、前記第１可動部の両直線部の並び方向とが直交し、かつ一方の直線部が前記第１可動部の他方の直線部と平行をなして連結された第２可動部と、前記第２可動部の両直線部のなす角度を変更後の角度に維持する第２維持手段とを有し、前記第２可動部の他方の直線部が前記所定の取付箇所に取付可能とされていることを特徴とする。
なお、本発明でいう「Ｕ字状またはコの字状」とは、厳密な意味で各可動部がＵ字状またはコの字状をなしていることを意味するものではなく、要するに、１対の直線部が互いの一端側で結合されてなるもので、弾性変形によって両直線部のなす角度が変わるものであることを意味する。
【０００９】
請求項２の発明は、請求項１に記載の光電センサのものにおいて、前記第１可動部の前記両直線部同士を結合する結合部及び前記第２可動部の前記両直線部同士を結合する結合部のいずれか一方の可動部の結合部が、他方の可動部のうち前記一方の可動部の前記直線部（連結直線部）に連結された直線部（連結直線部）と当該直線部に対して直交する方向に連結されていることを特徴とする。
なお、上記請求項２の発明は、具体的には次の構成が含まれる。
（ａ）「請求項１に記載の光電センサの取付構造において、前記第２可動部の前記一方の直線部（連結直線部）は、前記第１可動部の前記他方の直線部（連結直線部）に加えて、前記第１可動部の前記両直線部同士を結合する結合部とも連結されている構成。」
（ｂ）「請求項１に記載の光電センサの取付構造において、前記第１可動部の前記他方の直線部（連結直線部）は、前記第２可動部の前記一方の直線部（連結直線部）に加えて、前記第２可動部の前記両直線部同士を結合する結合部とも連結されている構成。」
【００１０】
請求項３の発明は、請求項１または請求項２に記載のものにおいて、前記第１及び第２の可動部はそれぞれ、前記両直線部のうちいずれか一方の直線部に、ネジの頭部以外を挿通可能な第１貫通孔が形成され、他方の直線部に、前記第１貫通孔に対応する位置に前記ネジと螺合するネジ穴が形成され、前記ネジと前記ネジ穴との螺合量に応じて前記両直線部同士のなす角度を変えるように前記可動部を弾性変形させつつその変更後の角度を維持するように構成されていることを特徴とする。
【００１１】
請求項４の発明は請求項１に記載のものにおいて、前記第１可動部のうち前記本体ケースが固定される一方の直線部にはネジの頭部以外を挿通可能な第１貫通孔が形成され、他方の直線部における前記第１貫通孔に対応する位置には前記ネジと螺合するネジ穴を有するネジ受け部が形成され、螺合前の状態においては開脚状態にある前記両直線部を前記ネジと前記ネジ穴とを螺合させることで閉じ方向に弾性変更させつつ変更後の両直線部のなす角度を同ネジによって維持するように構成されるとともに、前記ネジ受け部は前記本体ケースが固定された一方の直線部に対する対向間隔が、前記第１可動部の両直線部間を連結する結合部の幅寸法より狭くなるように前記他方の直線部側から前記一方の直線部側に向けて張り出して形成され、かつ、前記ネジにおけるネジ部の長さが少なくとも前記第１可動部における結合部の幅寸法以下に設定されることで、前記ネジによって開脚状態にある前記第１可動部の両直線部をもっとも閉じ方向に締め込んだ状態において、前記ネジ穴より突出されるネジ部の先端が同突出方向に関して同ネジ受け部と前記本体ケースが固定されていない他方側の直線部との間に収まるよう構成され、前記第２可動部の両直線部のうち前記取付箇所に取り付け可能とされる前記他方側の直線部には板面が前記第１可動部の他方の直線部に沿った側面取付部が設けられ、この側面取付部を介して同第２の可動部を前記取付箇所に対して取付面が直交する他の取付箇所に対しても装着可能とされているところに特徴を有する。
【００１２】
請求項５の発明は、請求項１ないし請求項４のいずれかに記載のものにおいて、前記本体ケースは、前記第１可動部の前記一方の直線部のうち前記他方の直線部との対向面側に固定されるよう構成され、前記第１可動部は、前記本体ケースを全体に亘って覆う大きさに形成されていることを特徴とする。
【００１３】
請求項６の発明は、請求項１ないし請求項５のいずれかに記載のものにおいて、前記取付箇所の取付面に対して、前記第２可動部の前記両直線部の並び方向が直角をなすように前記取付箇所に取り付けられる構成であって、前記第２可動部の他方の直線部には、前記取付箇所に螺着されるネジが挿通される挿通孔が貫通形成され、前記ネジを前記挿通孔を通して前記取付箇所に螺着することで前記第２可動部が前記取付箇所に取り付けられるようになっていることを特徴とする。
【００１４】
請求項７の発明は、請求項６に記載のものにおいて、前記第２可動部の前記一方の直線部には、前記他方の直線部の前記挿通孔に対応する位置に、前記ネジの締め付け及び取り外しを行うための工具を挿入可能な開口部が貫通形成されていることを特徴とする。
【００１５】
請求項８の発明は、請求項４ないし請求項６のいずれかに記載のものにおいて、前記第２可動部のうち前記取付箇所に固定可能とされた他方の直線部が前記第１可動部の結合部の一部を前記本体ケースが保持される側にほぼ直角に折り曲げることで形成されるとともに、前記第２可動部を構成する一方の直線部が、第１可動部における前記本体ケースが固定されない他方側の直線部の一部を前記第２可動部の他方側の直線部と対面するように折り曲げて形成されるとともに、直角に折り曲げられた前記他方の直線部は板状に形成され、さらに、この板状をなす他方の直線部の側部のうち第１可動部の他方の直線部と対応する側の側部に前記側面取付部が設けられているところに特徴を有する。
【００１６】
請求項９の発明は、請求項１ないし請求項８のいずれかに記載のものにおいて、前記第１及び第２の可動部は１枚の板金から構成されていることを特徴とする。
【００１７】
請求項１０の発明は、投光部及び受光部のうち少なくともいずれか一方を備えた本体ケースを、その光軸方向を調整可能に所定の取付箇所に対して取り付けるための光電センサの取付具であって、全体としてＵ字状またはコの字状をなし、その両直線部同士のなす角度が変わるように弾性変形可能な第１可動部と、前記第１可動部の両直線部のなす角度を変更後の角度に維持する第１維持手段と、全体としてＵ字状またはコの字状をなし、その両直線部同士のなす角度が変わるように弾性変形可能な第２可動部と、前記第２可動部の両直線部のなす角度を変更後の角度に維持する第２維持手段とを有し、前記第１可動部及び第２可動部は、それぞれの前記両直線部の並び方向が互いに直交し、かつ、それぞれの一方の直線部が平行をなすように当該一方の直線部同士が連結され、前記第１可動部の前記両直線部のうち連結されない他方の直線部には、前記本体ケースを固定する固定手段が設けられ、前記第２可動部の前記両直線部のうち連結されない他方の直線部には、前記所定の取付箇所に取り付けるための取付手段が設けられていることを特徴とする。
【００１８】
請求項１１の発明は、請求項１０に記載のものにおいて、前記第１可動部の前記両直線部同士を結合する結合部及び前記第２可動部の前記両直線部同士を結合する結合部のいずれか一方の可動部の結合部が、他方の可動部のうち前記一方の可動部の前記直線部に連結された直線部と当該直線部に対して直交する方向に連結されていることを特徴とする。
なお、請求項１１についても、請求項２と同様に、上記構成（ａ）（ｂ）に相当する構成が含まれる。
【００１９】
請求項１２の発明は、請求項１０または請求項１１に記載のものにおいて、前記第１及び第２の可動部はそれぞれ、前記両直線部のうちいずれか一方の直線部に、ネジの頭部以外を挿通可能な第１貫通孔が形成され、他方の直線部に、前記第１貫通孔に対応する位置に前記ネジと螺合するネジ穴が形成され、前記ネジと前記ネジ穴との螺合量に応じて前記両直線部同士のなす角度を変えるように前記可動部を弾性変形させつつその変更後の角度を維持するように構成されていることを特徴とする。
【００２０】
請求項１３の発明は、請求項１０に記載のものにおいて、前記第１可動部のうち前記本体ケースが固定される一方の直線部にはネジの頭部以外を挿通可能な第１貫通孔が形成され、他方の直線部における前記第１貫通孔に対応する位置には前記ネジと螺合するネジ穴を有するネジ受け部が形成され、螺合前の状態においては開脚状態にある前記両直線部を前記ネジと前記ネジ穴とを螺合させることで閉じ方向に弾性変更させつつ変更後の両直線部のなす角度を同ネジによって維持するように構成されるとともに、前記ネジ受け部は前記本体ケースが固定された一方の直線部に対する対向間隔が、前記第１可動部の両直線部間を連結する結合部の幅寸法より狭くなるように前記他方の直線部側から前記一方の直線部側に向けて張り出して形成され、かつ、前記ネジにおけるネジ部の長さが少なくとも前記第１可動部における結合部の幅寸法以下に設定されることで、前記ネジによって開脚状態にある前記第１可動部の両直線部をもっとも閉じ方向に締め込んだ状態において、前記ネジ穴より突出されるネジ部の先端が同突出方向に関して同ネジ受け部と前記本体ケースが固定されていない他方側の直線部との間に収まるよう構成され、前記第２可動部の両直線部のうち前記取付箇所に取り付け可能とされる前記他方側の直線部には板面が前記第１可動部の他方の直線部に沿った側面取付部が設けられ、この側面取付部を介して同第２可動部を前記取付箇所に対して取付面が直交する他の取付箇所に対しても装着可能とされているところに特徴を有する。
【００２１】
請求項１４の発明は、請求項１０ないし請求項１３のいずれかに記載のものにおいて、前記本体ケースは、前記第１可動部の前記一方の直線部のうち前記他方の直線部との対向面側に固定されるよう構成され、前記第１可動部は、前記本体ケースを全体に亘って覆う大きさに形成されていることを特徴とする。
【００２２】
請求項１５の発明は、請求項１０ないし請求項１４のいずれかに記載のものにおいて、前記取付箇所の取付面に対して、前記第２可動部の前記両直線部の並び方向が直角をなすように前記取付箇所に取り付けられる構成であって、前記取付手段は、前記第２可動部の前記他方の直線部に、前記取付箇所に螺着されるネジが挿通される挿通孔を貫通形成し、前記ネジを前記挿通孔を通して前記取付箇所に螺着することで前記第２可動部が前記取付箇所に取り付けられる構成になっていることを特徴とする。
【００２３】
請求項１６の発明は、請求項１５に記載のものにおいて、前記第２可動部の前記一方の直線部には、前記他方の直線部の前記挿通孔に対応する位置に、前記ネジの締め付け及び取り外しを行うための工具を挿入可能な開口部が貫通形成されていることを特徴とする。
【００２４】
請求項１７の発明は、請求項１３ないし請求項１５に記載のものにおいて、前記第２可動部のうち前記取付箇所に固定可能とされた他方の直線部が前記第１可動部の結合部の一部を前記本体ケースが保持される側にほぼ直角に折り曲げることで形成されるとともに、前記第２可動部を構成する一方の直線部が、第１可動部における前記本体ケースが固定されない他方側の直線部の一部を前記第２可動部の他方側の直線部と対面するように折り曲げて形成されるとともに、直角に折り曲げられた前記他方の直線部は板状に形成され、さらに、この板状をなす他方の直線部の側部のうち第１可動部の他方の直線部と対応する側の側部に前記側面取付部が設けられているところに特徴を有する。
【００２５】
請求項１８の発明は、請求項１０ないし請求項１７のいずれかに記載のものにおいて、前記第１及び第２の可動部は１枚の板金から構成されていることを特徴とする。
【００２６】
なお、次のような構成であってもよい。
（１）「請求項１〜請求項１８のいずれかに記載のものにおいて、前記本体ケースは、前記第１可動部の前記一方の直線部のうち前記他方の直線部との対向面側に固定されるよう構成され、前記第１可動部の前記両直線部は、前記本体ケースの対向面を覆う大きさに形成されていることを特徴とする構成。」
本構成によれば、本体ケースは、その側面が第１可動部で覆われるように固定されるから、外部からの衝撃から保護される。
【００２７】
（２）「請求項１〜請求項１８及び上記構成（１）のいずれかに記載のものにおいて、前記本体ケースは、前記第１可動部の前記一方の直線部のうち前記他方の直線部との対向面側において、前記投光部または前記受光部を前記第１可動部の両直線部の結合部分側に向けた状態で固定されるように構成され、前記結合部分は、前記投光部または受光部の形成面を覆う大きさに形成され、かつ、前記投光部からの光または前記受光部への光を通す通過孔が開口形成されていることを特徴とする構成。」
本構成によれば、本体ケースは、投光部または受光部の形成面が第１可動部の結合部分に覆われるから、外部からの衝撃から保護される。
【００２８】
（３）「請求項１〜請求項１８及び上記構成（１）または（２）のいずれかに記載のものにおいて、前記第１並びに第２維持手段は前記直線部のうち結合部が設けられた側とは反対側の縁部寄りの位置に設けられる構成。」
本構成によれば、維持手段による角度調整を小さな操作力で行うことが出来るから、その分、作業性がよくなる。
【００２９】
請求項１９の発明は、投光部及び受光部のうち少なくともいずれか一方を備えた本体ケースが、所定の取付箇所に対して取り付けられる光電センサの光軸調整方法であって、前記本体ケースを、前記請求項１０ないし請求項１８のいずれかに記載の取付具を介して前記所定の取付箇所に取り付けて、前記第１可動部を弾性変形させて前記本体ケースが固定された直線部を傾動させ、前記第２可動部を弾性変形させて前記第１可動部が連結された直線部を傾動させることで前記光電センサの光軸方向を直交２方向で変更し、その変更後の状態を前記第１及び第２維持手段で維持するようにして前記光軸方向を調整することを特徴とする。
【発明の効果】
【００３０】
＜請求項１，１０，１９及び請求項９,１８の発明＞
請求項１,１０,１９の構成によれば、本体ケースは、全体としてＵ字状またはコの字状をなす第１及び第２の可動部を、互いの両直線部の並び方向が直交するように連結されてなる取付構造または取付具を介して所定の取付箇所に取り付けられる。そして、両直線部のなす角度を変えるように第１可動部及び第２可動部をそれぞれ弾性変更することで、光電センサの光軸方向を直交２方向に変更できるようになっている。
このような構成であれば、例えば請求項９及び請求項１８の構成のように、１枚の金属板から取付具を形成することも可能であり、別途回転機構やバネなどを設けることなく比較的簡単な構造で、光電センサの本体ケースを直交２方向において光軸調整可能に取付箇所に取り付けることができる。
【００３１】
＜請求項２，１１の発明＞
例えば、第１可動部と第２可動部とを、それぞれ一方の直線部同士（具体的には第１可動部の他の直線部、第２可動部の一方の直線部）だけで連結した構成では、外部からの衝撃等によって、第１可動部、即ち、その第１可動部に固定された光電センサの本体ケースが振動し光軸方向が不安定になるという問題が生じ得る。
そこで、本構成によれば、第２可動部の一方の直線部は、第１可動部に対し、その他方の直線部に加えて、当該他方の直線部とは異なる方向に延びる結合部とも連結されている。或いは、第１可動部の他方の直線部は、第２可動部に対し、その一方の直線部に加えて、当該一方の直線部とは異なる方向に延びる結合部とも連結されている。従って、第１可動部と第２可動部とは互いに異なる方向（例えば略直交方向）において連結されるため、外部からの衝撃等による振動を抑えることができる。
【００３２】
＜請求項３，１２の発明＞
本構成によれば、ネジの回動量に応じて第１及び第２の可動部の両直線部のなす角度が変動する。つまり、ネジの回転量に対する両直線部の傾動量が少なく、ネジの回転操作によって両直線部の傾動角度、即ち光軸方向の微調整を行うことができる。しかも、本体ケースの傾動中心と各ネジの回転中心とは直交し、かつ、本体ケースはネジの回転後その位置に維持されるから、光軸調整後にネジ締めを行う必要がなく、上記特許文献１のような問題を抑制することができる。
【００３３】
＜請求項４，１３の発明＞
本構成によれば、第１可動部の両直線部に対するねじ締め操作を本体ケースが固定される一方側の直線部側より行うことができる。そのため、他方側の直線部側に壁等の構造躯体が設けられている場合であっても、ねじによる角度調整操作を支障なく行うことができる。
また、ネジによって開脚状態にある第１可動部の両直線部をもっとも締め込んだ状態において、ネジ穴より突出されるネジ部の先端が同突出方向に関して同ネジ受け部と本体ケースが固定されていない他方側の直線部との間に収まるよう構成されているから、ネジの先が構造躯体に干渉することがない。加えて、側面取付部を介して第１可動部の両直線部の並び方向に沿った取付箇所に対しても装着することが出来るから、使用性に優れる。
【００３４】
＜請求項５，１４の発明＞
本構成によれば、本体ケースは、その全体が第１可動部で覆われるように固定されるから、外部からの衝撃から保護される。
【００３５】
＜請求項６，１５，７，１６の発明＞
請求項６，１５の構成によれば、第２可動部の他方の直線部（第１可動部と連結されない方の直線部）に形成された挿通孔にネジを通して取付箇所に取り付ける構成であり、第２可動部が取付箇所への取付機構を兼ねることができ、より簡単な取付構造、取付具とすることができる。
更に、請求項７，１６の構成によれば、第２可動部の一方の直線部（第１可動部と連結される方の直線部）に貫通形成された開口部から工具を通して上記ネジの締め付けや取り外しができるから、例えば先端Ｌ字状の特別な工具でなくても一般的な先端直線状の工具を使うことができる。
【００３６】
＜請求項８，１７の発明＞
本構成によれば、第２可動部の両直線部はそれぞれ、第１可動部の結合部、他方側の直線部の一部を折り返して形成されている。このような構成であれば、第２可動部を第１可動部とは独立した形態とする場合に比べて、全体をコンパクトにまとめることが可能で、装置の小型化に寄与する。
【発明を実施するための最良の形態】
【００３７】
＜実施形態１＞
本発明の実施形態１を図１ないし図５によって説明する。
本実施形態の取付具１０は、例えば投光部及び受光部を備えた光電センサの本体ケース１１を、所定の取付箇所Ｗに設置するためのものであり、設置状態で上記本体ケース１１を直交２方向に傾動させて投光部及び受光部の光軸調整ができるものである。
【００３８】
１．取付具の構成
図１は、本実施形態に係る取付具１０の全体を示した斜視図である。取付具１０は、弾性変形可能な１枚の金属板から形成されたものであって、全体としてコの字状に折り曲げられた形状をなし、上記光電センサの本体ケース１１が固定される第１可動部１２と、やはり全体としてコの字状に折り曲げられた形状をなし、上記所定の取付箇所Ｗに取り付けられる第２可動部２０とを備えて構成されている。
【００３９】
第１及び第２の可動部１２，２０はそれぞれ、図２に示すように、自然状態（外力がかかっていない状態）において、上記コの字形状の１対の直線部１３，２１が先端に行くほどやや離間幅が広くなる角度になっている。そして、第１及び第２の可動部１２，２０は、１対の直線部１３，２１を挟むように押圧することで、両直線部１３，２１のなす角度が変わるように弾性変形する。
そして、本実施形態では、第１及び第２の可動部１２，２０は、上記コの字形状のうち１対の直線部１３，２１を繋げる結合部分１４，２２を同方向に向けた状態で、かつ、１対の直線部１３，２１の並び方向が互いに直交するように一方の直線部１３Ｂ，２１Ｂが連結されている。
【００４０】
このような構成は、例えば、全体として矩形をなし、一側面からそれに対向する側面に向けて略中央までスリット状に切り欠いた形状の１枚の金属板を打ち抜き形成し、スリット状の切り欠き部分を挟んで並ぶ１対の突出部分をそれぞれＤ同方向に折り返すようにコの字状に曲げる。その後、スリット状の切り欠き部分を中心に直角に折り曲げることで作製することができる。
【００４１】
（１）第１可動部
次に、第１可動部１２は、全体として本体ケース１１周囲を覆う大きさに形成されており、第２可動部２０と連結されていない側の直線部１３（以下、「非連結直線部１３Ａ」）には、本体ケース１１をネジ止めするためのネジ１５が挿通されるネジ挿通孔１６が貫通形成されている（図３，５参照）。本体ケース１１は、投光部及び受光部の形成面（以下、「投受光面１１Ａ」）を第１可動部１２の結合部分１４に向けた状態で、非連結直線部１３Ａ側にネジ止め固定される。また、第１可動部１２の結合部分１４には、本体ケース１１の投光部からの光及び受光部への光を通過可能な大きさの通過孔１７が開口形成されている。
【００４２】
更に、第１可動部１２の非連結直線部１３Ａの先端側には、ネジ穴１８が貫通形成され、第２可動部２０と連結される他方の直線部（以下、「連結直線部１３Ｂ」）の先端には、そのネジ穴１８に螺合するネジ４０が通されるネジ挿通孔１９が貫通形成されている。この挿通孔１９は、連結直線部１３Ｂの延長方向に沿って延びる長孔になっている。なお、本実施形態では、非連結直線部１３Ａは、ネジ穴１８形成部分が他の部分よりも連結直線部１３Ｂ側に近づくように階段状に折り曲げ加工が施されている。
【００４３】
（２）第２可動部
第２可動部２０は、１対の直線部２１のうち第１可動部１２と連結されていない方の直線部（以下、「非連結直線部２１Ａ」）に、取付箇所Ｗのネジ穴（図示せず）に螺合するネジ４１，４１が挿通される１対の挿通孔２３，２３が貫通形成されている。また、第２可動部２０の非連結直線部２１Ａの先端側には、やはり、ネジ穴２４が貫通形成され、第１可動部１２と連結される他方の直線部（以下、「連結直線部２１Ｂ」）の先端には、そのネジ穴２４に螺合するネジ４２が通されるネジ挿通孔２５が貫通形成されている。このネジ挿通孔２５は、連結直線部２１Ｂの延長方向に沿って延びる長孔になっている。
【００４４】
なお、本実施形態では、上記非連結直線部２１Ａは、ネジ穴形成２４部分が他の部分よりも連結直線部２１Ｂ側に近づくように階段状に折り曲げ加工が施されている。また、連結直線部２１Ｂには、非連結直線部２１Ａのネジ挿通孔２３形成部分に対向する部分に、ドライバ等の工具を挿通可能な開口部２６が形成されている。
【００４５】
２．本実施形態の取付具により光軸調整
光軸調整について、図４及び図５を参照しつつ説明する。なお、図４は、取付箇所Ｗに対して側方から見た図であり、図５は、取付箇所Ｗを上方から見た図であり、両図の白抜き矢印は、光軸方向を示す。
【００４６】
まず、第１可動部１２に本体ケース１１を固定し、第２可動部２０を取付箇所Ｗに取り付ける（図１も参照）。そして、第２可動部２０のネジ挿通孔２５にネジ４２を通してネジ穴２４に螺合させる。より具体的には、図４に示すように、ネジ４２は、ネジ挿通孔２５に通した後、ナット４６を螺着させてからネジ穴２４に螺合させる。ここで、上述したように、第２可動部２０の連結直線部２１Ｂと非連結直線部２１Ａとは、自然状態で先端側に向かうに連れて離間幅が広くなる角度になっている。従って、図４に示すように、ネジを螺合させた最初の状態では、本体ケース１１の投受光面１１Ａは斜め下方を向いており（同図（Ａ）参照）、ネジ４２の回転操作に伴って徐々に本体ケース１１の投受光面１１Ａの向く方向が正面から斜め上方へと移行する（同図（Ｂ）（Ｃ）参照）。そして、光軸調整が終了した後、上記ナット４６をネジ４２の頭部側に締め付ける。これにより、ネジ挿通孔２５が形成された連結直線部２１Ｂがネジ４２の頭部とナット４６に挟まれて固定されるから、外力が加わっても調整した光軸方向が上下方向に変動してしまうことを防止できる。
【００４７】
次に、第１可動部１２のネジ挿通孔１９にネジ４０を通してネジ穴１８に螺合させる。より具体的には、図５に示すように、ネジ４０は、ネジ挿通孔１９に通した後、ナット４５を螺着させてからネジ穴１８に螺合させる。ここで、上述したように、第１可動部１２の連結直線部１３Ｂと非連結直線部１３Ａとは、やはり自然状態で先端側に向かうに連れて離間幅が広くなる角度になっている。従って、図５に示すように、ネジ４０を螺合させた最初の状態では、本体ケース１１の投受光面１１Ａは斜め左方向（同図で紙面下方向）を向いており（同図（Ａ）参照）、ネジ４０の回転操作に伴って徐々に本体ケース１１の投受光面１１Ａの向く方向が正面から斜め右方向（同図で紙面上方向）へと移行する（同図（Ｂ）（Ｃ）参照）。そして、光軸調整が終了した後、上記ナット４５をネジ４０の頭部側に締め付ける。これにより、ネジ挿通孔１９が形成された連結直線部１３Ｂがネジ４０の頭部とナット４５に挟まれて固定されるから、外力が加わっても調整した光軸方向が左右方向に変動してしまうことを防止できる。
【００４８】
なお、本実施形態では、上述したように、ネジ穴１８，２４が形成された方の直線部１３Ａ，２１Ａの先端側は、そのネジ穴１８，２４形成部分が他の部分よりも内側に一段引っ込んだ形状に形成されている。従って、図４（Ｃ）及び図５（Ｃ）のように、ネジ４０，４２がある程度奥まで螺合された状態であっても、そのネジ４０，４２先端が可動部１２，２０側方から突出しないようになっている。
【００４９】
３．本実施形態の効果
以上の構成によれば、本体ケース１１は、全体としてコの字状をなす第１及び第２の可動部１２，２０を、互いの両直線部１３，２１の並び方向が直交するように連結されてなる取付具１０を介して所定の取付箇所Ｗに取り付けられる。そして、両直線部１３，２１のなす角度を変えるように第１可動部１２及び第２可動部２０をそれぞれ弾性変更することで、光電センサの光軸方向を上下左右の直交２方向に変更することができる。
このような構成であれば、本実施形態のように１枚の金属板から取付具１０を形成することができ、別途回転機構やバネなどを設けることなく比較的簡単な構造で、光電センサの本体ケース１１を直交２方向において光軸調整可能に取付箇所Ｗに取り付けることができる。
【００５０】
また、ネジ４０，４２の回動量に応じて第１及び第２の可動部１２，２０の両直線部１３，２１のなす角度が変動する。これにより、ネジ４０，４２の回転量に対する両直線部１２，２１の傾動量が少なく、ネジ４０，４２の回転操作によって両直線部１２，２１の傾動角度の微調整、即ち光軸方向の微調整を行うことができる。しかも、本体ケース１１の傾動中心と各ネジ４０，４２の回転中心とは直交し、かつ、本体ケース１１はネジ４０，４２の回転後その位置に維持されるから、光軸調整後にネジ締めを行う必要がなく、前述した特許文献１のような問題を抑制することができる。
【００５１】
更に、本体ケース１１は、投受光面１１Ａを含む周囲面が第１可動部１２で覆われるように固定されるから、外部からの衝撃から保護される。
また、第２可動部２０の非連結直線部２１Ａに形成されたネジ挿通孔２３，２３にネジ４１，４１を通して取付箇所Ｗに取り付ける構成であり、第２可動部２０が取付箇所Ｗへの取付機構を兼ねることができ、より簡単な構造の取付具とすることができる。
【００５２】
＜実施形態２＞
図６は実施形態２に係る取付具を示す。この取付具５０は、本体ケース１１を固定する第１可動部１２の１対の直線部１３の並び方向が取付箇所Ｗ（取付面）に対して直交し、かつ、取付箇所Ｗに取り付けられる第２可動部２０の１対の直線部２１の並び方向が取付箇所Ｗ（取付面）に対して平行をなすように取付箇所Ｗに取り付けられる構成になっている点で、上記実施形態１の構成と異なり、その他の点は前記実施形態１と同様である。従って、実施形態１と同一符号を付して重複する説明を省略し、異なるところのみを次に説明する。
【００５３】
上記のような構成のため、本実施形態では、図６に示すように、第２可動部２０の非連結直線部２１Ａには、側方に突出する突出部５１が一体的に形成されており、この突出部５１に貫通形成されたネジ挿通孔にネジ５２，５２を通して取付箇所Ｗに螺着することで取付具５０を取付箇所Ｗに対して固定できるようになっている。
このような構成であれば、取付箇所Ｗとの取付機構を第２可動部２０と兼ねることはできないが、その他の点について実施形態１と同様の効果を得ることができる。
なお、上記実施形態１のようにナット４５，４６を使って、光軸調整終了後にそれらのナット４５，４６をネジ４０，４２の頭部側に締め付ける構成を適用してもよい。
【００５４】
＜実施形態３＞
本発明の実施形態３（請求項２，９に相当）を図７ないし図１１によって説明する。なお、実施形態１と共通する構成については同一符号を付して詳細な説明は省略する。
本実施形態の取付具８０は、やはり上記本体ケース１１を、所定の取付箇所Ｗに設置するためのものであり、設置状態で上記本体ケース１１を直交２方向に傾動させて投光部及び受光部の光軸調整ができるものである。
【００５５】
１．取付具の構成
図７は、本実施形態に係る取付具８０の全体を示した斜視図である。取付具８０は、弾性変形可能な１枚の金属板から形成されたものであって、全体としてコの字状に折り曲げられた形状をなし、上記光電センサの本体ケース１１が固定される第１可動部８１と、やはり全体としてコの字状をなし、上記所定の取付箇所Ｗに取り付けられる第２可動部９１とを備えて構成されている。
【００５６】
第１及び第２の可動部８１，９１はそれぞれ、図８，９に示すように、自然状態（外力がかかっていない状態）において、上記コの字形状の１対の直線部１３，２１が先端に行くほどやや離間幅が広くなる角度になっている。そして、第１及び第２の可動部８１，９１は、１対の直線部８２，９２を挟むように押圧することで、両直線部８２，９２のなす角度が変わるように弾性変更する。
そして、本実施形態では、第１及び第２の可動部８１，９１は、上記コの字形状のうち１対の直線部８２，９２を繋げる結合部分８３，９３を同方向に向けた状態で、かつ、１対の直線部８２，９２の並び方向が互いに直交するように一方の直線部１３Ｂ，２１Ｂが連結されている。
【００５７】
なお、本実施形態の構成は、次のように特定することができる。
即ち、「投光部及び受光部のうち少なくともいずれか一方を備えた本体ケース（１１）が、その光軸方向を調整可能に所定の取付箇所（Ｗ）に対して取り付けられる光電センサの取付構造（または取付具）であって、
全体としてＵ字状またはコの字状をなし、その両直線部（８２Ａ，８２Ｂ）同士のなす角度が変わるように弾性変形可能とされるとともに、当該両直線部（８２Ａ，８２Ｂ）のうち一方の直線部（８２Ａ）が前記本体ケース（１１）に固定される第１可動部（８１）と、
前記第１可動部（８１）の両直線部（８２Ａ，８２Ｂ）のなす角度を変更後の角度に維持する第１維持手段と、
前記第１可動部（８１）の他方の直線部（８２Ｂ）の延長方向に対して側方の端部から前記第１可動部（８１）の一方の直線部（８２Ａ）側に突設された直線部（９２Ｂ）、及び、前記第１可動部（８１）のうち両直線部（８２Ａ，８２Ｂ）を結合する結合部（８３）から側方に延設され先端側が前記直線部（９２Ｂ）と対向しかつその直線部（９２Ｂ）とのなす角度が変わるよう弾性変形可能な直線部（９２Ａ）を有してなる第２可動部（９１）と、
前記第２可動部（９１）の両直線部（９１Ａ，９１Ｂ）のなす角度を変更後の角度に維持する第２維持手段とを有し、
前記第２可動部（９１）の他方の直線部（９２Ａ）が前記所定の取付箇所（Ｗ）に取付可能とされている構成。」
本実施形態では、このような構成により、請求項２，９でいう「第１可動部の結合部及び第２可動部の結合部のいずれか一方の可動部の結合部が、他方の可動部のうち一方の可動部の直線部（連結直線部）に連結された直線部（連結直線部）と当該直線部に対して直交する方向に連結されている」構成、より具体的には、「第２可動部の一方の直線部は、第１可動部の他方の直線部に加えて、第１可動部の両直線部同士を結合する結合部とも連結されている」（前述した構成（ａ））構成が実現されている。
また、このような構成であれば、所定の形状に打ち抜き形成された１枚の金属板を折り曲げ形成することで作製することができる。なお、例えば上記第２可動部９１の直線部（９２Ｂ）を、それ以外の部分と別部材として、当該直線部（９２Ｂ）と第１可動部８１の直線部（８２Ｂ）とを溶接によって連結する構成であってもよい。
【００５８】
（１）第１可動部
次に、第１可動部８１は、全体として本体ケース１１周囲を覆う大きさに形成されており、第２可動部９１と連結されていない側の直線部８２（以下、「非連結直線部８２Ａ」）には、本体ケース１１をネジ止めするためのネジ１５が挿通されるネジ挿通孔８４，８４が貫通形成されている（図９，１０参照）。本体ケース１１は、投受光面１１Ａを第１可動部８１の結合部分８３に向けた状態で、非連結直線部８２Ａ側にネジ止め固定される。また、第１可動部８１の結合部分８３には、本体ケース１１の投光部からの光及び受光部への光を通過可能な大きさの通過孔８５が開口形成されている。なお、上記ネジ挿通孔８４，８４は、それらの間の中央位置を中心に円弧状の長孔となっており、本体ケース１１の固定段階でその光軸方向をある程度調整できるようになっている。
【００５９】
更に、第１可動部８１の非連結直線部８２Ａの先端側には、ネジ穴８６が貫通形成され、第２可動部９１と連結される他方の直線部（以下、「連結直線部８２Ｂ」）の先端には、そのネジ穴８６に螺合するネジ４０が通されるネジ挿通孔８７が貫通形成されている。この挿通孔８７は、連結直線部８２Ｂの延長方向に沿って延びる長孔になっている。なお、本実施形態では、非連結直線部８２Ａは、ネジ穴８６形成部分が他の部分よりも連結直線部８２Ｂ側に近づくように階段状に折り曲げ加工が施されている。
【００６０】
（２）第２可動部
第２可動部９１は、１対の直線部９２のうち第１可動部８１と連結されていない方の直線部（以下、「非連結直線部９２Ａ」）に、取付箇所Ｗのネジ穴（図示せず）に螺合するネジ４１，４１が挿通される１対の挿通孔９４，９４が貫通形成されている。また、第２可動部９１の非連結直線部９２Ａの先端側には、やはり、ネジ穴９５が貫通形成され（図８，９参照）、第１可動部８１と連結される他方の直線部（以下、「連結直線部９２Ｂ」）の先端には、そのネジ穴９５に螺合するネジ４２が通されるネジ挿通孔９６が貫通形成されている。このネジ挿通孔９６は、連結直線部９２Ｂの延長方向に沿って延びる長孔になっている。
【００６１】
なお、本実施形態では、上記非連結直線部９２Ａは、ネジ穴９５形成部分が他の部分よりも連結直線部９２Ｂ側に近づくように階段状に折り曲げ加工が施されている。また、連結直線部９２Ｂには、非連結直線部９２Ａのネジ挿通孔９４形成部分に対向する部分に、ドライバ等の工具を挿通可能な開口部９７が形成されている。従って、本実施形態では、連結直線部９２Ｂと、その連結直線部９２Ｂ及び結合部分９３間の接続部分９８（図７〜９で一点破線で示した部分）とが、本発明の「第２可動部の一方の直線部」に相当する。
【００６２】
２．本実施形態の取付具により光軸調整
光軸調整について、図１０及び図１１を参照しつつ説明する。なお、図１０は、取付箇所Ｗに対して側方から見た図であり、図１１は、取付箇所Ｗを上方から見た図であり、両図の白抜き矢印は、光軸方向を示す。
【００６３】
まず、例えばドライバー等の工具を、上方から第１可動部８１の非連結直線部８２Ａ及び連結直線部８２Ｂ間を通してネジ４１，４１を締め付けることで第２可動部９１を取付箇所Ｗに取り付る。その後、第１可動部８１に本体ケース１１を固定する（図７も参照）。そして、第２可動部９１のネジ挿通孔９６にネジ４２を通してネジ穴９５に螺合させる。より具体的には、図１０に示すように、ネジ４２は、ネジ挿通孔９６に通した後、ナット４６を螺着させてからネジ穴９５に螺合させる。ここで、上述したように、第２可動部９１の連結直線部９２Ｂと非連結直線部９２Ａとは、自然状態で先端側に向かうに連れて離間幅が広くなる角度になっている。従って、図１０に示すように、ネジを螺合させた最初の状態では、本体ケース１１の投受光面１１Ａは斜め下方を向いており（同図（Ａ）参照）、ネジ４２の回転操作に伴って徐々に本体ケース１１の投受光面１１Ａの向く方向が正面から斜め上方へと移行する（同図（Ｂ）（Ｃ）参照）。そして、光軸調整が終了した後、上記ナット４６をネジ４２の頭部側に締め付ける。これにより、ネジ挿通孔９６が形成された連結直線部９２Ｂがネジ４２の頭部とナット４６に挟まれて固定されるから、外力が加わっても調整した光軸方向が上下方向に変動してしまうことを防止できる。
【００６４】
次に、第１可動部８１のネジ挿通孔８７にネジ４０を通してネジ穴８６に螺合させる。より具体的には、図１１に示すように、ネジ４０は、ネジ挿通孔８７に通した後、ナット４５を螺着させてからネジ穴８６に螺合させる。ここで、上述したように、第１可動部８１の連結直線部８２Ｂと非連結直線部８２Ａとは、やはり自然状態で先端側に向かうに連れて離間幅が広くなる角度になっている。従って、図１１に示すように、ネジ４０を螺合させた最初の状態では、本体ケース１１の投受光面１１Ａは斜め左方向（同図で紙面下方向）を向いており（同図（Ａ）参照）、ネジ４０の回転操作に伴って徐々に本体ケース１１の投受光面１１Ａの向く方向が正面から斜め右方向（同図で紙面上方向）へと移行する（同図（Ｂ）（Ｃ）参照）。そして、光軸調整が終了した後、上記ナット４５をネジ４０の頭部側に締め付ける。これにより、ネジ挿通孔８７が形成された連結直線部８２Ｂがネジ４０の頭部とナット４５に挟まれて固定されるから、外力が加わっても調整した光軸方向が左右方向に変動してしまうことを防止できる。
【００６５】
なお、本実施形態では、上述したように、ネジ穴８６，９５が形成された方の直線部８２Ａ，９２Ａの先端側は、そのネジ穴８６，９５形成部分が他の部分よりも内側に一段引っ込んだ形状に形成されている。従って、図１０（Ｃ）及び図１１（Ｃ）のように、ネジ４０，４２がある程度奥まで螺合された状態であっても、そのネジ４０，４２先端が可動部８１，９１側方から突出しないようになっている。
【００６６】
３．本実施形態の効果
以上の構成によれば、本体ケース１１は、全体としてコの字状をなす第１及び第２の可動部８１，９１を、互いの両直線部８２，９２の並び方向が直交するように連結されてなる取付具８０を介して所定の取付箇所Ｗに取り付けられる。そして、両直線部８２，９２のなす角度を変えるように第１可動部８１及び第２可動部９１をそれぞれ弾性変更することで、光電センサの光軸方向を上下左右の直交２方向に変更することができる。
更に、このような構成であれば、本実施形態のように１枚の金属板から取付具８０を形成することができ、別途回転機構やバネなどを設けることなく比較的簡単な構造で、光電センサの本体ケース１１を直交２方向において光軸調整可能に取付箇所Ｗに取り付けることができる。
【００６７】
また、ネジ４０，４２の回動量に応じて第１及び第２の可動部８１，９１の両直線部８２，９２のなす角度が変動する。これにより、ネジ４０，４２の回転量に対する両直線部８２，９２の傾動量が少なく、ネジ４０，４２の回転操作によって両直線部８２，９２の傾動角度の微調整、即ち光軸方向の微調整を行うことができる。しかも、本体ケース１１の傾動中心と各ネジ４０，４２の回転中心とは直交し、かつ、本体ケース１１はネジ４０，４２の回転後その位置に維持されるから、光軸調整後にネジ締めを行う必要がなく、前述した特許文献１のような問題を抑制することができる。
【００６８】
更に、本体ケース１１は、投受光面１１Ａを含む周囲面が第１可動部８１で覆われるように固定されるから、外部からの衝撃から保護される。
また、第２可動部９１の非連結直線部９２Ａに形成されたネジ挿通孔９４，９４にネジ４１，４１を通して取付箇所Ｗに取り付ける構成であり、第２可動部９１が取付箇所Ｗへの取付機構を兼ねることができ、より簡単な構造の取付具とすることができる。
【００６９】
また、本実施形態では、第２可動部９１は、第１可動部８１の連結直線部８２Ｂと、更に、第１可動部８１の結合部分８３と連結した構成になっている。つまり、第１可動部８１と第２可動部９１とは互いに直交する２方向においてそれぞれ連続的に連結されている。従って、例えば周囲機器からの振動が取付箇所Ｗを介して取付具８０に伝わるような場合であっても、本体ケース１１の振動が抑えられ光軸方向を安定させることが可能になる。
【００７０】
＜実施形態４＞
本発明の実施形態４（請求項４，８に相当）を図１２ないし図１７を参照して説明する。
実施形態３では取付具８０を水平な取付箇所Ｗに取り付けたが（取付具の側方に縦壁がない状態下での使用を前提としていた）、本実施形態では直交する２つの面Ｗ１、Ｗ２が交差するコーナ部分への取り付けを可能としている。本実施形態に適用された取付具１００は先に説明された実施形態３と同様に、大まかには第１可動部１１０並びに第２可動部１３０より構成されている。以下、第１可動部１１０についてまず、説明し、その後、第２可動部１３０について説明する。尚、この実施形態においては本体ケース１１のうち投受光面１１Ａが設けられた部分を前側とし、その反対側を奥側として説明を行う。また、Ｗ１を垂直取付面（本発明の他の取付箇所に相当）とし、Ｗ２を水平取付面とする。
【００７１】
第１可動部１１０は向かい合う一対の対向片１１１、１１５の基端部同士を結合部１２１によって連結しており、全体としてはコの字状をなしている。これら両対向片のうち図１２におけ左奥側の片１１１は固定側直線部（本発明の一方の直線部に相当）とされ、同固定側直線部１１１における内面側であって、基端部寄りの位置に本体ケース１１がネジにより固定されるようになっている。
【００７２】
この固定側直線部１１１は本体ケース１１の側面を覆う大きさに形成されているが、上部側は本体ケース１１の後端位置よりも更に、奥側（同図における右奥側に）に延びている。この延長された部分は調整部１１３とされ、そこにはネジ挿通孔（本発明の第１貫通孔に相当）１１３Ａが設けられている。
【００７３】
このネジ挿通孔１１３Ａが形成された調整部１１３は上下方向に関する幅が、図１３に示すように突出端側に比べて基端側が広くなるような形状とされている（同図におけるＢ寸法部）。このような構成とすることで、後述するネジ４０による締め込み動作を行う際に、調整部１１３が折れ曲がらないように強度を確保するようにしている。また、固定側直線部１１１の下部１１１Ａは本体ケース１１が露出されない範囲内において先端寄りの部分が斜めに切り落とされている。このようにコーナ部分を切り落としてエッジを取り除くことで、危害対策を行っている。また、結合部１２１には実施形態３と同様に投・受光のための通過孔１２２が開口しており、同結合部１２１は通過孔１２２によって上下に分断されている。
【００７４】
図１２における手前側の片１１５が固定側直線部１１１の相手側となる相手側直線部（本発明の他方の直線部に相当）である。相手側直線部１１５は固定側直線部１１１と同様に本体ケース１１を覆うことが可能な大きさに形成されている。そして、その上部側は固定側直線部１１１と同様に、本体ケース１１の後端位置よりも更に、奥側（同図における右奥側に）に延びている。この延長された部分における前記ネジ挿通孔１１３Ａと対向する位置にはネジ穴１１６Ａを有する受け側調整部（本発明のネジ受け部に相当する）１１６が同相手側直線部１１５側から固定側直線部１１１側に張り出すようにして形成されている。また、この受け側調整部１１６の下方には受け側調整部１１６よりも更に、後方に延長されてアーム部１１７が形成されている。
【００７５】
そして、これら両直線部１１１、１１５は図１５に示すように、ややハの字状に開脚するように加工され、より具体的には固定側直線部１１１が結合部１２１に対して鈍角となるような設定とされ、相手側直線部１１５が結合部１２１に対して直角となるような設定とされている。そのため、図１６に示すように、ネジ挿通孔１１３Ａに対してネジ４０を挿通させつつ、ネジ穴１１６Ａに対して螺合させてゆくと、その螺合によって両調整部１１３、１１６同士間の距離が狭くなる。すなわち、固定側直線部１１１が図１６における下向きに締め付けられるから、これに伴って、水平面（図１６における紙面に沿う平面）内における本体ケース１１の取り付け角度が調整可能となる。
【００７６】
また、ネジ４０のネジ部４０Ａの長さ（図１５におけるＡ寸法部分の長さ）は、ネジをもっとも締めこんだ状態（図１６における（Ｃ）の状態）にあっても、ネジ部４０Ａの先端部が相手側直線部１１５の外面から露出されないような長さ寸法に設定されている。
【００７７】
具体的には、ネジ部４０Ａの長さは図１５におけるＤ寸法部分（結合部１２１の幅寸法）から図１６におけるＥ寸法部分（もっとも締めこまれた状態における固定側直線部１１１の内方への倒れ込み量）を減算したよりいくらか小さい寸法設定とされ、更に、受け側調整部１１６の張り出し高さ（図１５におけるＣ寸法）はネジ４０をもっとも締めこんだ際の締め込み高さと同じが、それよりも大きな寸法設定とされている。このような構成とすることで、ネジ４０の先端が常に図１５のＣ寸法に示す領域内に収まることとなり、締め込み動作中にネジ４０が垂直取付面Ｗ１に干渉することがなくなる。
【００７８】
また、ネジ挿通孔１１３Ａは図１２に示すように水平方向に延びる長孔とされているが、これはネジ４０による角度調整操作を行う際に、ネジ４０がネジ挿通孔１１３Ａの孔壁に干渉してネジ締め作業に支障を来たさないようにするための逃がしである。
【００７９】
次に、第２可動部１３０について説明する。
第２可動部１３０を構成する受け片部（本発明の他方の直線部に相当）１３１は水平取付面Ｗ２に面当たりするような平滑面を持って構成され、本体ケース１１の奥行き方向に向かって（直線部１１１、１１５の基端側から自由端側に向けて）真っ直ぐに延びている。図１２に示すように、この受け片部１３１の左右の両側縁のうち第１可動部１１０の相手側直線部１１５と対応する側の側縁は取付箇所Ｗ１側にやや張り出しており、その張り出し端には側面取付部１３３が図示上方に起立形成されている。
【００８０】
この側面取付部１３３は板面が第１可動部１１０の相手側直線部１１５に沿うように形成されるとともに、前後にネジ挿通孔１３３Ａ、１３３Ｂがそれぞれ設けられており、これにより、取付箇所Ｗ１に対する装着が可能とされている。また、ネジ挿通孔のうち奥側のネジ挿通孔１３３Ｂは水平方向に沿った長孔とされているが、これは取付箇所Ｗ１に対する組み付けを円滑に行うための逃がしである。
【００８１】
そして、この受け片部１３１の前端部は第１可動部１１０の下側の結合部１２１Ａに連続（展開状態においては平板状にある金属を折り曲げることで結合部１２１と受け片部１３１を一体的に形成）している。これら受け片部１３１と結合部１２１のなす角度は加工後の状態では図１７に示すように、９０度よりやや大きな角度に設定されているが、次に説明するネジ４２による締め込み操作を行うことで、その角度、すなわち本体ケース１１を含む第１可動部１１０全体の取り付け角度を垂直面（図１７における紙面に沿う平面）内において調整することが出来るようになっている。
【００８２】
図１２に示すように、第１可動部１１０の相手側直線部１１５に形成されるアーム部１１７の下縁部は、その全幅に亘って固定側直線部１１１側に水平に折り曲げられている。この折り曲げられた部分は調整部（本発明の一方の直線部に相当）１３７とされ、そこにはネジ挿通孔１３７Ａが形成されている。一方、受け片部１３１のうち、同ネジ挿通孔１３７Ａが形成された部分と対向する部分は、ネジ穴１３５Ａを有する受け側調整部１３５が図示上方に張り出すようにして形成されている。
【００８３】
そのため、ネジ挿通孔１３７に対してネジ４２を挿通させた状態で締め込み操作を行うことで両調整部１３５、１３７の対向間隔、ひいては垂直面内における本体ケース１１の取り付け角度の調整を行うことが出来るようになっている。尚、このネジ４２のネジ部４２Ａの長さは、ネジ４２を最も締め込んだ状態（図１７における（Ｃ）の状態）であっても、水平取付面Ｗ１に対して干渉しないような長さ寸法に設定されている。
【００８４】
また、先に説明した側面取付部１３３は受け片部１３１の張り出し端に形成されることで、その外面壁が相手側直線部１１５の外面壁より外側（図１６における下側）に位置する設定としてある。このような構成とするのは、次の２点を考慮したものである。まず、一点目としては相手側直線部１１５の下縁部と側面取付部１３３の上縁部との隙間を確保するためである。そして、２点目としては組み付けた状態において垂直取付面Ｗ１と相手側直線部１１５との間に若干の隙間を確保するためである。仮に、垂直取付面Ｗ１と相手側直線部１１５との間に全く隙間のない設定とすると、相手側直線部１１５がそっている場合（板面が湾曲していたり、或いは曲がっている場合）には、組み付けた際に本体ケース１１が傾いでしまうが、上記構成であれば、係る事態を未然に解消することが可能である。
【００８５】
次に、本実施形態における取付具１００の取り付け手順について説明する。
取付具１００を装着するには、まず受け片部１３１を水平取付面Ｗ２に、側面取付部１３３を垂直取付面Ｗ１に対してそれぞれ宛がう。そして、垂直取付面Ｗ１に設けられるネジ穴（図示せず）に対して側面取付部１３３に形成されるネジ挿通孔１３３Ａ、１３３Ｂを位置あわせするとともに、その状態からネジ１４１を図１２における左奥側より締め込む。これにより、側面取付部１３３が垂直取付面Ｗ１に対して固定される。
【００８６】
続いて、本体ケース１１の光軸調整を行う。この場合において、垂直面内において本体ケース１１の光軸調整を行うときには、ネジ４２をネジ挿通孔１３７Ａに挿通させた状態からネジ穴１３５Ａに締め込んでやればよい。これにより、本体ケース１１を含む第１可動部１１０全体が奥側（図１７における左側）に倒れるように撓むことで、本体ケース１１は垂直面内において角度調整される。
【００８７】
一方、水平面内において本体ケース１１の光軸調整を行うときには、固定側直線部１１１側よりネジ挿通孔１１３Ａに対してネジ４０を挿通させ、その状態から相手側直線部１１５のネジ穴１１６Ａに対して締め込む。これにより、本体ケース１１を含む固定側直線部１１１が相手側直線部１１５側に倒れるように撓むから、これにより、本体ケース１１は水平面内において角度調整される。
【００８８】
このように本実施形態によれば、固定側直線部１１１に対してネジ挿通孔１１３Ａを設ける一方、相手側直線部１１５にネジ穴１１６Ａを設けて、ネジ４０の締め込みを固定側直線部１１１側より行うことが出来るようにしている。すなわち、垂直取付面Ｗ１に対するネジ１４１の締め込み方向と同方向からネジ４０の締め込みを行う構成としている。加えて、ネジ４０のネジ部４０Ａの長さはネジ４０をもっとも締め込んだ状態であっても、垂直取付面Ｗ１に干渉しないような長さ寸法に設定、すなわち、同状態において、ネジ部４０Ａの先端が受け側調整部１１６と相手側直線部１１５との間（図１５におけるＣ寸法部分）に収まって、相手側直線部１１５の外面壁から垂直取付面Ｗ１側に露出されないようになっている。このような構成とすることで、直交する２つの面Ｗ１、Ｗ２が交差するコーナ部分に本体ケース１１を取り付けた場合（より具体的には、垂直取付面Ｗ１に相手側直線部１１５を対面させた状態で取付具１００を固定した場合）であっても、本体ケース１１の角度調整作業を直交２方向のいずれの方向に関しても支障なく行うことが出来る。
【００８９】
加えて、第１可動部１１０の調整部１１３、１１６、第２可動部１３０の調整部１３５、１３７のいずれの調整部も弾性変位する際の基点となる部分からもっと遠いところに設定されている。このような構成であれば、ネジ４０、４２による締め込み作業を小さな操作力で行うことが出来るから、その分、作業性がよくなる。
【００９０】
そして、受け片部１３１は本体ケース１１の下方にあって、図１６の（Ｂ）に示すように、本体ケース１１の中心線Ｌが受け片部１３１の幅内に位置している。このような構成であれば、本体ケース１１の中心線Ｌが受け片部１３１の幅外に位置する場合に比べて幅方向（図１６における上下方向）に対する剛性が高まるから同方向に関し、光軸方向が安定する。
【００９１】
また、第２可動部１３０の受け側調整部１３５は第１可動部１１０の結合部１２１を折り返して形成され、第２可動部１３０の調整部１３７は第１可動部１１０の相手側直線部１１５を折り返して形成されている。このような構成であれば、第２可動部１３０を第１可動部１１０とは独立した形態とする場合に比べて、全体をコンパクトにまとめることが可能で、装置の小型化に寄与する。
【００９２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記各実施形態では、第１及び第２の可動部の結合部分は、いずれも本体ケース１１の投受光面１１Ａの前方側に位置するように構成したが、これに限らず、結合部分が投受光面１１Ａの後方側に位置するような構成であってもよい。更に、第１可動部１２，８２と第２可動部２０，９２とで直線部の先端が互いに反対方向を向くようにした構成であってもよい。例えば実施形態２に対する変形例としては図１８に示すよう構成がある。このような構成であっても、投受光面１１Ａの光軸方向を直交２方向で調整することができる。
【００９３】
（２）上記実施形態では、各ネジ４０，４２は、その頭部の径が、ネジ挿通孔１９、２５，８７，９６の径より大きいものとしたが、たとえ頭部の径がネジ挿通孔１９，２５，８７，９６より小さくても、そのネジ挿通孔１９，２５，８７，９６よりも外径が大きいワッシャ−を頭部に係止した構成としてもよい。
【００９４】
（３）上記実施形態では、取付具は１枚の金属板で作製したものとしたが、これに限らず、第１可動部１２，８２と第２可動部２０，９２との連結部分で連結される２部材から構成したものであってもよい。
【００９５】
（４）上記実施形態１では、第２可動部２０の非連結直線部２１Ａにネジ挿通孔２３，２３を設けた構成としたが、これに限らず、図１９に示すように、非連結直線部２１Ａの先端側をＬ字状に延設させて、このＬ字状部分のうち取付箇所Ｗに敷設される部分６０に例えば１対のネジ挿通孔６１，６１を貫通形成した構成であってもよい。また、図２０に示すように、非連結直線部２１Ａの先端側をＬ字状に延設するとともに、基端側も結合部分２２から突出するように取付箇所Ｗに敷設される突出部７０が設けられ、Ｌ字状部分のうち取付箇所Ｗに敷設される部分７１と突出部７０とにそれぞれネジ挿通孔７２，７３が貫通形成されている構成であってもよい。これらの構成であれば、連結直線部２１Ｂ側に開口部２６を設けなくても済む。
【００９６】
（５）上記実施形態３では請求項２の構成のうち前述した構成（ａ）に相当するものであったが、図２１に示すように、構成（ｂ）に相当するものであってもよい。図２１に示す構成は、実施形態１の構成（図１）に対して第１可動部１２と第２可動部２０との連結部分が異なるだけで他の部分は同じである。従って、同一構成については同符号を付けて説明を省略し、異なる部分のみ説明する。つまり、第１可動部１２の非連結直線部１３Ｂが、第２可動部２０の非連結直線部２１Ｂだけでなく、第２可動部２０の結合部分２２とも連結されている。非連結直線部２１Ｂとの連結部分は当該非連結直線部２１Ｂの長手方向に沿って連続的に連結され、結合部分２２との連結部分は当該連結部分２２の立ち上がり方向（上記非連結直線部２１Ｂの長手方向と直交する方向）に沿って連続的に連結されている。このような構成であっても、上記実施形態３の構成と同様に、例えば周囲機器からの振動が取付箇所Ｗを介して取付具９０に伝わるような場合に、本体ケース１１の振動が抑えられ光軸方向を安定させることが可能になる。
更に、図２２に示す構成であってもよい。図２２に示す構成は、図１８に示す変形例（その１）の構成に対して第１可動部１２と第２可動部２０との連結部分が異なるだけで他の部分は同じである。従って、同一構成については同符号を付けて説明を省略し、異なる部分のみ説明する。つまり、第１可動部１２の非連結直線部１３Ｂが、第２可動部２０の非連結直線部２１Ｂだけでなく、第２可動部２０の結合部分２２とも連結されている。非連結直線部２１Ｂとの連結部分は当該非連結直線部２１Ｂの長手方向に沿って連続的に連結され、結合部分２２との連結部分は当該連結部分２２の立ち上がり方向（上記非連結直線部２１Ｂの長手方向と直交する方向）に沿って連続的に連結されている。このような構成であっても、上記実施形態３の構成と同様に、例えば周囲機器からの振動が取付箇所Ｗを介して取付具１５０に伝わるような場合に、本体ケース１１の振動が抑えられ光軸方向を安定させることが可能になる。
【図面の簡単な説明】
【００９７】
【図１】本発明の実施形態１に係る取付具の全体構成を示した斜視図
【図２】図１に対する右側面図及び上面図
【図３】図１に対する左側面及び下面図
【図４】ネジの螺合量に伴う本体ケースの傾動を取付具の右側面側から見た図
【図５】ネジの螺合量に伴う本体ケースの傾動を取付具の上面側から見た図
【図６】実施形態２に係る取付具の全体構成を示した斜視図
【図７】実施形態３に係る取付具の全体構成を示した斜視図
【図８】図７に対する右側面図及び上面図
【図９】図７に対する左側面及び下面図
【図１０】ネジの螺合量に伴う本体ケースの傾動を取付具の右側面側から見た図
【図１１】ネジの螺合量に伴う本体ケースの傾動を取付具の上面側から見た図
【図１２】実施形態４に係る取付具の全体構成を示した斜視図
【図１３】図１２に対する左側面及び下面図
【図１４】図１２に対する右側面図及び上面図
【図１５】ねじによる締め込み操作を行う前の状態における取付具の上面図（平面図）
【図１６】ネジの螺合量に伴う本体ケースの傾動を取付具の上面側から見た図
【図１７】ネジの螺合量に伴う本体ケースの傾動を取付具の右側面側から見た図
【図１８】変形例に係る取付具の全体構成を示した斜視図（その１）
【図１９】変形例に係る取付具の全体構成を示した斜視図（その２）
【図２０】変形例に係る取付具の全体構成を示した斜視図（その３）
【図２１】変形例に係る取付具の全体構成を示した斜視図（その４）
【図２２】変形例に係る取付具の全体構成を示した斜視図（その５）
【図２３】従来の取付具の正面図及び上面図
【図２４】従来の取付具の斜視図
【符号の説明】
【００９８】
１０，５０，６０，８０，９０，１００，１５０…取付具
１１…本体ケース
１２，８１…第１可動部
１３，２１，８２，９２…直線部
１３Ａ，２１Ａ，８２Ａ，９２Ａ…非連結直線部
１３Ｂ，２１Ｂ，８２Ｂ，９２Ｂ…連結直線部
１７，８５…通過孔
１８，２４，８６，９５…ネジ穴
１９，２５，８７，９６…ネジ挿通孔
２０，９１…第２可動部
１４，２２，８３，９３…結合部
２６，９７…開口部
４０，４２…ネジ
５１…突出部（固定手段）
５２，５２…ネジ
８３…結合部分（結合部）
Ｗ…取付箇所
【図１】
2005302692.tif 000003
【図２】
2005302692.tif 000004
【図３】
2005302692.tif 000005
【図４】
2005302692.tif 000006
【図５】
2005302692.tif 000007
【図６】
2005302692.tif 000008
【図７】
2005302692.tif 000009
【図８】
2005302692.tif 000010
【図９】
2005302692.tif 000011
【図１０】
2005302692.tif 000012
【図１１】
2005302692.tif 000013
【図１２】
2005302692.tif 000014
【図１３】
2005302692.tif 000015
【図１４】
2005302692.tif 000016
【図１５】
2005302692.tif 000017
【図１６】
2005302692.tif 000018
【図１７】
2005302692.tif 000019
【図１８】
2005302692.tif 000020
【図１９】
2005302692.tif 000021
【図２０】
2005302692.tif 000022
【図２１】
2005302692.tif 000023
【図２２】
2005302692.tif 000024
【図２３】
2005302692.tif 000025
【図２４】
2005302692.tif 000026